(57)【要約】【課題】１つの記録媒体に対して異なる放送方式の動画の記録を禁止する構成において、複数の記録媒体に動画を記録する場合に、いずれの放送方式に設定すればよいのか容易に判断できる技術の実現。【解決手段】撮像装置は、撮像手段と、記録媒体に記録する動画信号の放送方式を設定する設定手段と、前記設定手段により設定された放送方式に応じて、前記撮像手段により得られた動画信号を用いて前記設定された放送方式に対応した動画信号を生成する生成手段と、前記生成手段により生成された動画信号を、複数の記録媒体から選択された記録媒体に記録する記録手段と、前記複数の記録媒体に既に記録されている動画信号の放送方式に関する情報を出力する出力手段と、前記複数の記録媒体の記録媒体の少なくとも１つに既に記録されている動画信号の放送方式が、前記設定手段により設定された放送方式と異なる場合に、当該放送方式が異なることを示す情報を出力するように前記出力手段を制御する制御手段と、を有する。【選択図】図２
2013162180.tif 000002
【特許請求の範囲】
【請求項１】
撮像手段と、
記録媒体に記録する動画信号の放送方式を設定する設定手段と、
前記設定手段により設定された放送方式に応じて、前記撮像手段により得られた動画信号を用いて前記設定された放送方式に対応した動画信号を生成する生成手段と、
前記生成手段により生成された動画信号を、複数の記録媒体から選択された記録媒体に記録する記録手段と、
前記複数の記録媒体に既に記録されている動画信号の放送方式に関する情報を出力する出力手段と、
前記複数の記録媒体の記録媒体の少なくとも１つに既に記録されている動画信号の放送方式が、前記設定手段により設定された放送方式と異なる場合に、当該放送方式が異なることを示す情報を出力するように前記出力手段を制御する制御手段と、を有することを特徴とする撮像装置。
【請求項２】
前記制御手段は、前記設定手段により設定された放送方式と異なる放送方式の動画信号が既に記録されている記録媒体に、前記記録手段が前記生成手段により生成された動画信号を記録しないようにすることを特徴とする請求項１に記載の撮像装置。
【請求項３】
前記制御手段は、前記設定手段により設定された放送方式と同じ放送方式の動画信号が既に記録されている記録媒体に、前記生成手段により生成された動画データを記録するように前記記録手段を制御することを特徴とする請求項１に記載の撮像装置。
【請求項４】
前記制御手段は、前記複数の記録媒体の少なくとも１つに既に記録されている動画信号の放送方式が、前記設定手段により設定された放送方式と異なる場合に、当該記録媒体の初期化または前記設定手段により設定されている放送方式の変更警告を出力するように前記出力手段を制御することを特徴とする請求項１または２に記載の撮像装置。
【請求項５】
前記制御手段は、前記複数の記録媒体のうちの第１の記録媒体に記録されている動画信号の放送方式が前記設定手段により設定された放送方式と異なっており、第２の記録媒体に記録されている動画信号の放送方式が前記設定手段により設定された放送方式と異なっていない場合、前記第２の記録媒体への記録を促す情報を出力するように前記出力手段を制御することを特徴とする請求項１に記載の撮像装置。
【請求項６】
前記設定手段は、ＮＴＳＣ方式、ＰＡＬ方式、及びＳＥＣＡＭ方式のいずれかの放送方式に設定することが可能であることを特徴とする請求項１乃至５のいずれか１項に記載の撮像装置。
【請求項７】
撮像手段と、
記録媒体に記録する動画信号の放送方式を設定する設定手段と、
前記設定手段により設定された放送方式に応じて、前記撮像手段により得られた動画信号を用いて前記設定された放送方式に対応した動画信号を生成する生成手段と、
前記生成手段により生成された動画信号を、複数の記録媒体から選択された記録媒体に記録する記録手段と、を有する撮像装置の制御方法であって、
前記複数の記録媒体に既に記録されている動画信号の放送方式に関する情報を出力する出力工程と、
前記複数の記録媒体の記録媒体の少なくとも１つに既に記録されている動画信号の放送方式が、前記設定手段により設定された放送方式と異なる場合に、当該放送方式が異なることを示す情報を出力するように制御する制御工程と、を有することを特徴とする制御方法。
【請求項８】
コンピュータを、請求項１乃至６のいずれか１項に記載の撮像装置の各手段として機能させるためのプログラム。
【請求項９】
コンピュータを、請求項１乃至６のいずれか１項に記載の撮像装置の各手段として機能させるためのプログラムを記憶したコンピュータによる読み取りが可能な記憶媒体。
【発明の詳細な説明】
【技術分野】
【０００１】
本発明は、異なる放送方式の動画を記録媒体に記録する技術に関する。
【背景技術】
【０００２】
現在用いられているテレビジョン放送方式は、ＮＴＳＣ方式、ＰＡＬ方式、ＳＥＣＡＭ方式に大別される。また、ビデオカメラにおいても、これらの放送方式に応じた動画を撮影する機能を有するものがある（例えば、特許文献１参照）。
【０００３】
１つの記録媒体に対し、異なる放送方式の動画を記録することも可能である。しかし、異なる放送方式の動画が記録された記録媒体から動画を読み出して再生する場合、再生対象の動画の放送方式に応じて再生装置の設定を変更する必要がある。
【０００４】
そこで、動画を撮影、記録する際に、１つの記録媒体に対して異なる放送方式の動画の記録を禁止する構成も考えられる。これにより、既に動画が記録された記録媒体に新たに動画を記録する場合、記録済みの動画の放送方式に合わせてビデオカメラの設定を変更して撮影を行えばよい。
【先行技術文献】
【特許文献】
【０００５】
【特許文献１】特開２００８−２６３４２９号
【発明の概要】
【発明が解決しようとする課題】
【０００６】
しかしながら、最近では、複数の記録媒体を装着可能なビデオカメラも登場している。この場合、１つの記録媒体に対して異なる放送方式の動画の記録を禁止する構成とすると、記録媒体ごとに記録されている動画の放送方式が異なっている場合には、いずれの放送方式にビデオカメラの設定を変更すればよいのか分かり難い。
【０００７】
本発明は、上記課題に鑑みてなされ、その目的は、１つの記録媒体に対して異なる放送方式の動画の記録を禁止する構成において、複数の記録媒体に動画を記録する場合に、いずれの放送方式に設定すればよいのか容易に判断できる技術を実現することである。
【課題を解決するための手段】
【０００８】
上記課題を解決し、目的を達成するために、本発明の撮像装置は、撮像手段と、記録媒体に記録する動画信号の放送方式を設定する設定手段と、前記設定手段により設定された放送方式に応じて、前記撮像手段により得られた動画信号を用いて前記設定された放送方式に対応した動画信号を生成する生成手段と、前記生成手段により生成された動画信号を、複数の記録媒体から選択された記録媒体に記録する記録手段と、前記複数の記録媒体に既に記録されている動画信号の放送方式に関する情報を出力する出力手段と、前記複数の記録媒体の記録媒体の少なくとも１つに既に記録されている動画信号の放送方式が、前記設定手段により設定された放送方式と異なる場合に、当該放送方式が異なることを示す情報を出力するように前記出力手段を制御する制御手段と、を有する。
【発明の効果】
【０００９】
本発明によれば、１つの記録媒体に対して異なる放送方式の動画の記録を禁止する構成において、複数の記録媒体に動画を記録する場合に、いずれの放送方式に設定すればよいのか容易に判断できるようになる。
【図面の簡単な説明】
【００１０】
【図１】本発明に係る実施形態の撮像装置の構成を示すブロック図。
【図２】本実施形態の記録方式判別処理を示すフローチャート。
【図３】実施形態１における警告画面を例示する図。
【図４】実施形態２の撮像装置の構成を示すブロック図。
【図５】実施形態２における警告画面を例示する図。
【発明を実施するための形態】
【００１１】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１２】
［実施形態１］以下に、本発明の画像処理装置を複数の記録媒体を装着可能なデジタルビデオカメラに適用した例について説明する。
【００１３】
＜装置構成＞図１を参照して、本実施形態の撮像装置１００の構成について説明する。
【００１４】
図１において、システム制御部１０１は、ＣＰＵ及び、ＲＯＭやＲＡＭなどのメモリを含み、ＲＡＭを作業エリアとしてＲＯＭに格納された各種の制御プログラムを展開し、実行する。また、システム制御部１０１は、記録する動画の放送方式（以下、記録方式と呼ぶ）の情報をメモリに保存する。そして、システム制御部１０１は、この記録方式の情報を電源オン（起動）時にメモリから読み出すことで、生成する動画の放送方式を決定する。また、システム制御部１０１は、メモリから読み出された記録方式の情報に応じて動作周波数を設定する。本実施形態では、撮像装置１００は、ＮＴＳＣ方式やＰＡＬ方式に対応した動画を生成し、記録するが、ＳＥＣＡＭ方式など他の放送方式の動画を生成することもできる。
【００１５】
光学系１０２は、フォーカスレンズやズームレンズ、絞り、シャッタなどを含み、レンズを通して入射する被写体の光学像に適切な光学処理を行い、撮像部１０３に導く。システム制御部１０１は、前記の様に設定された記録方式に応じて動画撮影時のシャッタースピードを設定する。システム制御部１０１は、記録方式としてＮＴＳＣ方式が設定されている場合は、シャッタースピードを１／６０（ｓｅｃ）に設定し、ＰＡＬ方式が設定されている場合は、シャッタースピードを１／５０（ｓｅｃ）に設定する。
【００１６】
撮像部１０３は、光学系１０２により光学処理された光学像を光電変換し、生成された電気信号を動画信号として撮像信号処理部１０９に出力する。撮像部１０３は、ＣＣＤやＣＭＯＳなどの撮像素子から構成されたイメージセンサを備える。
【００１７】
撮像信号処理部１０９は、撮像部１０３から得られた動画信号に対してＡ／Ｄ変換処理や増幅処理などの公知の処理を施して出力する。出力される動画信号は記録方式に応じてフレームレート（単位時間あたりのフレーム数、ここでは１秒あたりのフレーム数）が異なる。ＮＴＳＣ方式の場合は６０ｐ／６０ｉ／３０ｐ／２４ｐ、ＰＡＬ方式の場合は５０ｐ／５０ｉ／２５ｐのいずれかである。そして、生成された動画信号が画像処理部１１０と表示制御部１１８へ送出される。
【００１８】
画像処理部１１０は、動画信号を符号化（圧縮）、或いは復号（伸張）する機能を備える。画像処理部１１０は、撮影時には、撮像信号処理部１０９からの動画信号に対し、ＭＰＥＧ等の公知の符号化方式に応じた符号化処理を施して情報量を圧縮する。そして、圧縮された動画データを第１の記録媒体制御部１１２又は第２の記録媒体制御部１１３に送出する。また、画像処理部１１０は、入力制御部１１６から受けた制御指令に応じて第１の記録媒体制御部１１２又は第２の記録媒体制御部１１３に対して所望の動画データを取得するように制御指令を送出する。また、画像処理部１１０は、動画再生時には、第１の記録媒体制御部１１２又は第２の記録媒体制御部１１３から送出される動画信号に対して復号処理を行い、表示制御部１１８に送出することで、表示部１０８に再生された動画を表示する。
【００１９】
記録方式判別部１１１は、撮像装置１００に設定された記録方式と第１の記録媒体制御部１１２及び第２の記録媒体制御部１１３から取得した各記録媒体に記録されている動画の記録方式とを比較し、判別を行う。判別の結果、ユーザからの操作指示に応じて装置本体の記録方式を変更する。また、上記記録方式に関する情報の表示指令を、必要に応じて表示データ処理部１１７に送出し、表示部１０８に記録方式の情報を表示可能である。更に入力部１０６から入力制御部１１６を介して入力されるユーザの操作指示により記録方式を変更することも可能である。
【００２０】
第１の記録媒体制御部１１２は、画像処理部１１０からの指示により動画データを第１の記録媒体１０４に書き込む。また、第１の記録媒体制御部１１２は、第１の記録媒体検出部１１４から第１の記録媒体１０４が検出されているか否かを示す情報を受ける。第１の記録媒体制御部１１２は、第１の記録媒体検出部１１４から受けた情報に基づき第１の記録媒体１０４が検出されていない場合は、第１の記録媒体１０４に対して書き込みや読み出しを行わない。
【００２１】
第１の記録媒体検出部１１４により第１の記録媒体１０４が検出されている場合は第１の記録媒体１０４に対する書き込みや読み出しだけでなく、管理情報を読み出して管理情報に記録されている記録方式や記録可能容量などの情報を取得する。
【００２２】
第２の記録媒体制御部１１３も第１の記録媒体制御部１１２と同様に、第２の記録媒体検出部１１５から受けた情報に基づき、第２の記録媒体１０５に動画データを書き込み、また、第２の記録媒体１０５から動画データを読み出す。また、第２の記録媒体制御部１１３は、第２の記録媒体１０５から読み出した管理情報に記録されている記録方式や記録可能容量などの情報を取得して出力する。
【００２３】
第１及び第２の記録媒体１０４，１０５はそれぞれ、フラッシュメモリやＨＤＤなどのンダムアクセス可能な記録媒体である。また、本実施形態では、不図示の脱着機構により、第１及び第２の記録媒体１０４，１０５を装置本体に対して容易に取り付け、取り外しすることが可能である。また、本実施形態では、第１及び第２の記録媒体１０４，１０５に記録された動画データは、それぞれ動画ファイルとして管理される。
【００２４】
入力制御部１１６は、入力部１０６を介して入力されたユーザからの操作指示を必要に応じて各制御部に送出する。例えば、入力制御部１１６から画像処理部１１０に制御指令を送出することで記録の開始や停止を行うことが可能である。また、入力制御部１１６から表示データ処理部１１７に制御指令を送出することで表示データ記憶部１０７から所望の表示データを選択することができる。また、入力制御部１１６から画像処理部１１０に制御指令を送出することで記録媒体の選択や選択されている記録媒体の情報を取得することができる。
【００２５】
さらに、入力制御部１１６から記録方式判別部１１１に制御指令を送出することで、記録する動画の記録方式を変更することも可能である。
【００２６】
表示データ処理部１１７は、入力制御部１１６から受けた制御指令により表示データを表示データ記憶部１０７から読み出し、表示制御部１１８に送出する。
【００２７】
表示データ記憶部１０７は、表示データを格納しており、表示データ処理部１１７から受けた制御指令に応じて表示データが読み出される。
【００２８】
表示制御部１１８は、表示データ処理部１１７から受けた表示データと撮像信号処理部１０９から受けた動画信号を合成し、表示可能な形式に変換し、表示部１０８に送出する。
【００２９】
表示部１０８は、表示制御部１１８から送出される表示形式に変換されたデータを表示する。表示部１０８は、液晶表示装置を備える。
【００３０】
＜記録方式判別処理＞次に、本実施形態の撮像装置による記録方式判別処理について説明する。本実施形態では、第１及び第２の記録媒体１０４，１０５に対し、それぞれ、異なる放送方式の動画が混在して記録されないように、各記録媒体１０４、１０５への動画記録を制御する。そのため、第１及び第２の記録媒体１０４，１０５に記録されている動画データの記録方式と、撮像装置１００に設定されている動画の記録方式とが異なっている場合に記録媒体への動画データの記録が禁止される。
【００３１】
図２（ａ）は、撮像装置１００の起動時の動作を示している。なお、本処理は、システム制御部１０１において、ＣＰＵがＲＯＭに格納された制御プログラムを、ＲＡＭを作業エリアとして展開し実行することにより実現される。
【００３２】
図２（ａ）において、ステップＳ２１０１では、システム制御部１０１は、電源がＯＮされたか判定し、電源がＯＮされている場合はテップＳ２１０２へ進み、ＯＮされていない場合はステップＳ２１０１へ戻る。
【００３３】
ステップＳ２１０２では、システム制御部１０１は、設定されている動画の記録方式に応じたバックアップ情報を取得する。記録方式によって異なるメニューの構成などは電源オンに応じた撮像装置１００の起動時にバックアップ情報を取得し、記録方式に合わせた情報を生成する必要がある。また動作周波数やシャッタースピードなども記録方式に応じた設定を行う必要がある。
【００３４】
第１、第２の記録媒体検出部１１４、１１５は、電源オンの状態において、それぞれ記録媒体が装着されているか否かを判別し、判別結果を出力する。ステップＳ２１０３では、システム制御部１０１は、第１及び第２の記録媒体検出部１１４，１１５において第１又は第２の記録媒体１０４，１０５が検出されたか判定する。記録媒体が検出されている場合はステップＳ２１０４へ進み、検出されていない場合はステップＳ２１０７へ進む。
【００３５】
ステップＳ２１０４では、システム制御部１０１は、ステップＳ２１０３で検出した記録媒体の個数を判定し、検出された記録媒体が１つの場合はステップＳ２１０５へ進み、検出された記録媒体が複数の場合はステップＳ２１０６へ進む。
【００３６】
ステップＳ２１０５は、検出された記録媒体が１つの場合の記録方式判別処理であり、図２（ｃ）で後述する。
【００３７】
ステップＳ２１０６は、検出された記録媒体が複数の場合の記録方式判別処理であり、図２（ｄ）で後述する。
【００３８】
ステップＳ２１０７では、システム制御部１０１は、記録媒体の有無や記録方式判別処理の結果に応じた表示内容を表示部１０８に表示する。
【００３９】
なお、図２（ｄ）において、装置本体に装着された全ての記録媒体の記録方式が、装置本体に設定されている記録方式と異なる場合には、装置本体の記録方式の設定を変更してから電源をＯＦＦし、再起動処理を行う。詳細は図２（ｄ）で後述する。
【００４０】
＜起動後の記録媒体検出処理＞図２（ｂ）は、撮像装置１００の起動後の記録媒体検出処理を示している。本処理は、撮像装置１００の起動後における記録媒体１０４、１０５の装着、排出に伴う処理であり、撮像装置１００の起動中にシステム制御部１０１により繰り返し実行される。
【００４１】
図２（ｂ）において、ステップＳ２２０１では、システム制御部１０１は、第１及び第２の記録媒体検出部１１４，１１５において記録媒体の挿抜を検出したか判定する。記録媒体の挿抜が検出され、前回の検出結果と異なっている場合はステップＳ２１０３へ進み、記録媒体の挿抜が検出されず、前回の検出結果と同じ場合は、本処理を終了する。
【００４２】
その後の処理は、図２（ａ）のステップＳ２１０３〜Ｓ２１０７と同様である。
【００４３】
＜記録方式判別処理１（記録媒体が１つ）＞図２（ｃ）は、図２（ａ）、（ｂ）のステップＳ２１０５における処理を示している。
【００４４】
図２（ｃ）において、ステップＳ２３０１では、システム制御部１０１は、第１及び第２の記録媒体制御部１１２，１１３により、記録媒体１０４，１０５のうち、撮像装置１００に装着されている方の記録媒体から管理情報を読み込む。そして、システム制御部１０１は、取得した管理情報から記録媒体に記録されている記録方式や記録可能容量などの情報を取得する。このとき、記録媒体１０４、または１０５に記録されている全ての動画データに関する記録方式の情報を取得する。
【００４５】
ステップＳ２３０２では、システム制御部１０１は、撮像装置１００に設定されている記録方式と記録媒体に記録されている全ての動画データの記録方式とが一致しているか判定する。撮像装置１００に設定されている記録方式と記録媒体に記録されている全ての動画データの記録方式とが一致していない場合はステップＳ２３０３へ進み、一致している場合は本処理を終了する。
【００４６】
ステップＳ２３０３では、システム制御部１０１は、撮像装置１００に設定されている記録方式と記録媒体に記録されている全ての動画データの記録方式とが一致していないため、ユーザは記録媒体を初期化するか、別の記録媒体を用意する必要がある。
【００４７】
そこで、本実施形態では、この様な場合にユーザに分かり易いように警告表示を出力することで記録媒体に記録されている動画の記録方式を容易に認識できるようにする。
【００４８】
図３（ａ）は、ステップＳ２３０３で、撮像装置１００に設定されている記録方式と記録媒体に記録されている全ての動画データの記録方式とが一致していないと判定された場合にユーザに通知する初期化警告画面３０１を示している。初期化警告画面３０１には、現在選択されている記録媒体を示す情報３０２が表示されている。第１の記録媒体１０４又は第２の記録媒体１０５の状態をユーザに報知するため、第１の記録媒体１０４であるメディアＡまたは第２の記録媒体１０５であるメディアＢの記録可能時間に関する情報３０３が表示される。撮像装置１００に設定されている動画の記録方式がＮＴＳＣ方式であり、記録媒体に記録されている動画データがＰＡＬ方式であった場合、記録方式が違っていることをユーザに知らせるための警告情報３０４が表示される。この様に、ユーザは、警告画面３０１を確認することにより、撮像装置１００に設定されている動画の記録方式がＮＴＳＣ方式であり、記録媒体に記録されている動画データの記録方式がＰＡＬ方式であると認識することができる。
【００４９】
＜記録方式判別処理２（記録媒体が複数）＞図２（ｄ）は、図２（ａ）、（ｂ）のステップＳ２１０６における処理を示している。
【００５０】
図２（ｄ）において、ステップＳ２４０１では、システム制御部１０１は、記録媒体１０４、１０５に記録されている全ての動画データの記録方式を検出する。次に、システム制御部１０１は、ステップＳ２４０２において、撮像装置１００に設定されている記録方式と記録媒体１０４、１０５に記録されている全ての動画データの記録方式とが一致しているか判定する。撮像装置１００に設定されている記録方式と記録媒体１０４、１０５に記録されている全ての動画データの記録方式とが一致していた場合、処理を終了する。また、撮像装置１００に設定されている記録方式と記録媒体１０４、１０５に記録されている全ての動画データの記録方式とが一致していない場合、ステップＳ２４０３において、システム制御部１０１は、撮像装置１００に設定されている記録方式と、記録媒体１０４、１０５に記録されている動画データのうちの何れかに記録された全ての動画データの記録方式とが一致しているか否かを判別する。撮像装置１００に設定されている記録方式と、記録媒体１０４、１０５の何れかに記録された全ての動画データの記録方式とが一致している場合、ステップＳ２４０８において、記録媒体の切り替え警告画面を表示する。記録媒体の切り替え警告画面３３０１の例を図３（ｄ）に示す。ここでは、一方の記録媒体１０４であるメディアＡに記録された動画データの記録方式が撮像装置１００の記録方式と一致していない。また、他方の記録媒体１０５であるメディアＢに記録された動画データの記録方式が撮像装置１００の記録方式と一致しているとする。図３（ｄ）では、メディアＡが選択されており、この場合、メディアＡに記録された動画データの記録方式が撮像装置１００の記録方式と不一致であり、メディアＢへの切り替えをユーザに促す情報３３０２を表示する。
【００５１】
また、撮像装置１００に設定されている記録方式と記録媒体１０４、１０５に記録されている全ての動画データの記録方式とが不一致であった場合、ステップＳ２４０４へ進む。
【００５２】
撮像装置１００に設定されている記録方式と、記録媒体１０４、１０５に記録された全ての動画データの記録方式とが一致していないため、ユーザは記録媒体を初期化するか、別の記録媒体を用意する必要がある。しかし、撮像装置１００と全ての記録媒体の記録方式が異なっている場合、ユーザは記録媒体に記録されている動画データの記録方式で動画を記録することを要求していることが考えられる。その場合は、撮像装置１００の記録方式を変更できたほうが便利で使い易い。
【００５３】
そこで、この様な場合は、撮像装置１００の記録方式の変更を問い合わせる画面を表示することで、ユーザが容易に撮像装置１００の記録方式を、記録媒体に記録された動画データの記録方式に一致させることができる様にした。図３（ｂ）は、ステップＳ２４０４で表示する、記録方式の切り替えの問い合わせ画面を示す図である。問い合わせ画面３１０１には、撮像装置１００の記録方式を記録媒体に記録されている動画データの記録方式に合わせて変更するか否かを問い合わせる情報３１０２が表示されている。
【００５４】
また、図３（ｃ）は、ステップＳ２４０２で表示する問い合わせ画面の別の例を示している。警告画面３２０１には、全ての記録媒体の記録方式表示部３２０２、記録媒体の記録可能容量や動画データの最終記録日時、パーソナルコンピュータ（ＰＣ）にバックアップした履歴情報などの記録媒体管理情報３２０３が表示される。警告画面３２０１に表示されている情報を見ることでユーザは装置本体に設定されている記録方式を変更するかどうか判断し、変更する場合は記録方式変更警告表示部３２０４で「はい」を選択する。
【００５５】
ステップＳ２４０５では、システム制御部１０１は、撮像装置１００の記録方式の変更が選択されたか判定する。記録方式の変更が実行される場合はステップＳ２４０６へ進み、実行されない場合はステップＳ２４０８へ進む。
【００５６】
ステップＳ２４０６では、システム制御部１０１は、変更後の記録方式や現在のメニューの設定などをメモリに保存する。
【００５７】
ステップＳ２４０７では、システム制御部１０１は、記録方式を変更するため、撮像装置１００の電源を一旦オフし、再起動処理を行うために、ステップＳ２１０８に戻る。ステップＳ２４０６で変更後の記録方式をメモリに保存しているため、再起動処理を行った場合は起動時に記録方式の設定をメモリから読み出し、前回の記録方式と異なった記録方式を設定する。これにより、撮像装置１００に設定されている記録方式と記録媒体に記録されている動画データの記録方式が一致し、動画の記録、再生を行うことが可能となる。
【００５８】
また、ステップＳ２４０５で、記録方式の変更を行わないことが選択された場合、システム制御部１０１は、初期化の警告画面を表示する。Ｓ２４０５で表示する初期化警告画面は図３（ａ）とほぼ同様であるが、２つの記録媒体が共に装着されているため、記録可能時間の情報３０３において、両方の記録媒体の情報が表示される。
【００５９】
［実施形態２］次に、図４及び図５を参照して、実施形態２について説明する。
【００６０】
図４は、撮像装置４００の記録方式と異なる記録方式の記録媒体が３つ装着されている場合の撮像装置４００の構成を示すブロック図であり、図１に示す撮像装置１００と同一ブロックには同一符号を付し、説明を省略する。
【００６１】
図４において、画像処理部１１０は、動画信号を符号化（圧縮）、或いは復号（伸張）する機能を備え、撮像信号処理部１０９から動画信号が転送されてくると、信号を符号化した動画データを第３の記録媒体制御部４０３に送出する。また、画像処理部１１０は、入力制御部１１６から受けた制御指令により第３の記録媒体制御部４０３に対して所望の動画データを取得するように制御指令を送出する。そして、第３の記録媒体制御部４０３から送出される動画データに対して復号処理を行い、表示制御部１１８に送出することで、表示部１０８に再生された動画を表示する。
【００６２】
記録方式判別部１１１は、撮像装置４００に設定された記録方式と第１の記録媒体制御部１１２と第２の記録媒体制御部１１３と第３の記録媒体制御部４０３とから送出される各記録媒体に記録されている動画の記録方式とを比較し、判別を行う。判別を行った結果、ユーザからの操作指示に応じて装置本体に設定されている記録方式の変更を行う。
【００６３】
また、第３の記録媒体４０１はフラッシュメモリなどのランダムアクセス可能な記録媒体であり、不図示の着脱機構により、撮像装置４００に対して容易に取り付け、取り外しが可能である。
【００６４】
第３の記録媒体制御部４０３は、画像処理部１１０からの指示により動画データを第３の記録媒体４０１に書き込む。また、第３の記録媒体４０１が検出されているか否かの情報を第３の記録媒体検出部４０２から受ける。第３の記録媒体検出部４０２により第３の記録媒体４０１が検出されていない場合は第３の記録媒体制御部４０３は第３の記録媒体４０１に対する動画データの書き込みや読み出しを行わない。
【００６５】
第３の記録媒体制御部４０３は、第３の記録媒体検出部４０２により第３の記録媒体４０１が検出されている場合は、第３の記録媒体４０１に対する動画データの書き込みや読み出しだけでなく、第３の記録媒体４０１から読み出した管理情報に記録されている記録方式や記録可能容量などの情報を取得する。
【００６６】
撮像装置４００の記録方式と異なる記録方式の記録媒体が３つ装着された場合における撮像装置４００による記録方式の切替処理については図２（ａ）〜（ｄ）と同様であるので、説明は省略する。
【００６７】
図５（ａ）は、図２（ｄ）のステップＳ２４０２で撮像装置４００の記録方式と全ての記録媒体の動画シーンの記録方式とが一致していないと判定された場合に、ユーザに通知する記録方式変更警告画面５０１を例示している。記録方式変更警告画面５０１には、撮像装置４００の記録方式と全ての記録媒体の記録方式とが異なるため記録媒体の記録方式に合わせる記録方式変更警告表示部３１０２が表示されている。２つの記録媒体の記録方式と撮像装置４００の記録方式とが異なる場合は３つ目に装着される記録媒体の記録方式が撮像装置４００と同じ記録方式の可能性があるため、記録方式変更警告表示部３１０２は表示しない。
【００６８】
また、図５（ｂ）は記録媒体から読み出した管理情報に記録されている情報をユーザに通知するための警告画面５１０１を例示している。警告画面５１０１には、全ての記録媒体の記録方式表示部３２０２や記録媒体の記録可能容量や動画データの最終記録日時、ＰＣにバックアップした履歴情報などの記録媒体管理情報５２０２が表示される。警告画面５１０１に表示されている情報を見ることでユーザは装置本体に設定されている記録方式の設定を変更するかどうか判断し、変更する場合は記録方式変更警告表示部３２０４で「はい」を選択する。
【００６９】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2013162180.tif 000003
【図２】
2013162180.tif 000004
【図３】
2013162180.tif 000005
【図４】
2013162180.tif 000006
【図５】
2013162180.tif 000007